(57)【要約】【課題】原本が盗まれた場合に本物を容易に複製できないようにするとともに、情報を印字した後の帳票が本物であるか偽物であるかの区別を確実に行うことができるようにすること。【解決手段】帳票シート１１の上に耐熱性インキで印刷した標章部１３と、標章部１３の上にレーザプリンタのトナー定着温度より高い温度で変色する不可逆性のサーモクロミックインキで印刷した隠蔽部１４とからなる真偽判別欄１２を設けておき、正規のレーザプリンタのトナー定着温度をサーモクロミックインキの変色温度より高い温度に設定し、帳票シート１１に正規のレーザプリンタで情報を印字した時に真偽判別欄１２の隠蔽部１４が変色して標章部１３が現れるようにして、標章部１３が現れていれば本物と判別し、標章部１３が現れていなければ偽物と判別するようにした。【選択図】図１
2009220404.tif 000002
【特許請求の範囲】
【請求項１】
帳票シートに真偽判別欄が設けられた偽造防止帳票であって、
この真偽判別欄は、
帳票シートの上に耐熱性インキで印刷された標章部と、
標章部の上にレーザプリンタのトナー定着温度より高い温度で変色する不可逆性のサーモクロミックインキで印刷された隠蔽部とから構成されている
ことを特徴とする偽造防止帳票。
【請求項２】
帳票シートに真偽判別欄が設けられた偽造防止帳票であって、
この真偽判別欄は、
帳票シートの上にレーザプリンタのトナー定着温度より低い第１の温度で変色する不可逆性のサーモクロミックインキで印刷された第１の標章部と、
帳票シートの上に第１の温度より低い第２の温度で変色する不可逆性のサーモクロミックインキで印刷された第２の標章部とから構成されている
ことを特徴とする偽造防止帳票。
【請求項３】
帳票シートに真偽判別欄が設けられた偽造防止帳票であって、
この真偽判別欄は、
帳票シートの上に耐熱性インキで印刷された警告部と、
警告部の上にレーザプリンタのトナー定着温度より低い第１の温度で変色する不可逆性のサーモクロミックインキで印刷された標章部と、
標章部の上に第１の温度より低い第２の温度で変色する不可逆性のサーモクロミックインキで印刷された隠蔽部とから構成されている
ことを特徴とする偽造防止帳票。
【請求項４】
帳票シートに真偽判別欄が設けられた偽造防止帳票であって、
この真偽判別欄は、
帳票シートの上に耐熱性インキで印刷された第１の標章部と、
帳票シートの上にレーザプリンタのトナー定着温度より低い第１の温度で変色する不可逆性のサーモクロミックインキで印刷された第２の標章部と、
第１の標章部の上に第１の温度より低い第２の温度で変色する不可逆性のサーモクロミックインキで印刷された隠蔽部とから構成されている
ことを特徴とする偽造防止帳票。
【請求項５】
帳票シートに真偽判別欄が設けられた偽造防止帳票であって、
この真偽判別欄は、
帳票シートの上に耐熱性インキで印刷された警告部と、
帳票シートの上に耐熱性インキで印刷された標章部と、
警告部の上にレーザプリンタのトナー定着温度より低い第１の温度で変色する不可逆性のサーモクロミックインキで印刷された第１の隠蔽部と、
標章部の上に第１の温度より低い第２の温度で変色する不可逆性のサーモクロミックインキで印刷された第２の隠蔽部とから構成されている
ことを特徴とする偽造防止帳票。
【請求項６】
帳票シートに設けた真偽判別欄を用いて帳票の真偽を判別する真偽判別方法であって、
帳票シートの上に耐熱性インキで印刷した標章部と、標章部の上にレーザプリンタのトナー定着温度より高い温度で変色する不可逆性のサーモクロミックインキで印刷した隠蔽部とからなる真偽判別欄を設けておき、
正規のレーザプリンタのトナー定着温度をサーモクロミックインキの変色温度より高い温度に設定し、帳票シートに正規のレーザプリンタで情報を印字した時に真偽判別欄の隠蔽部が変色して標章部が現れるようにして、標章部が現れていれば本物と判別し、標章部が現れていなければ偽物と判別する
ことを特徴とする帳票の真偽判別方法。
【請求項７】
帳票シートに設けた真偽判別欄を用いて帳票の真偽を判別する真偽判別方法であって、
帳票シートの上にレーザプリンタのトナー定着温度より低い第１の温度で変色する不可逆性のサーモクロミックインキで印刷した第１の標章部と、帳票シートの上に第１の温度より低い第２の温度で変色する不可逆性のサーモクロミックインキで印刷した第２の標章部とからなる真偽判別欄を設けておき、
正規のレーザプリンタのトナー定着温度を第１の温度と第２の温度の間の中間温度に設定し、帳票シートに正規のレーザプリンタで情報を印字した時に真偽判別欄の第２の標章部が変色するようにして、第１の標章部が変色せずに残っていれば本物と判別し、第１の標章部と第２の標章部が両方変色せずに残っているか、あるいは両方変色していれば偽物と判別する
ことを特徴とする帳票の真偽判別方法。
【請求項８】
帳票シートに設けた真偽判別欄を用いて帳票の真偽を判別する真偽判別方法であって、
帳票シートの上に耐熱性インキで印刷した警告部と、警告部の上にレーザプリンタのトナー定着温度より低い第１の温度で変色する不可逆性のサーモクロミックインキで印刷した標章部と、標章部の上に第１の温度より低い第２の温度で変色する不可逆性のサーモクロミックインキで印刷した隠蔽部とからなる真偽判別欄を設けておき、
正規のレーザプリンタのトナー定着温度を第１の温度と第２の温度の間の中間温度に設定し、帳票シートに正規のレーザプリンタで情報を印字した時に真偽判別欄の隠蔽部が変色して標章部が現れるようにして、標章部が現れていれば本物と判別し、隠蔽部と標章部が両方変色して警告部が現れているか、あるいは両方変色せずに隠蔽部が残っていれば偽物と判別する
ことを特徴とする帳票の真偽判別方法。
【請求項９】
帳票シートに設けた真偽判別欄を用いて帳票の真偽を判別する真偽判別方法であって、
帳票シートの上に耐熱性インキで印刷した第１の標章部と、帳票シートの上にレーザプリンタのトナー定着温度より低い第１の温度で変色する不可逆性のサーモクロミックインキで印刷した第２の標章部と、第１の標章部の上に第１の温度より低い第２の温度で変色する不可逆性のサーモクロミックインキで印刷した隠蔽部とからなる真偽判別欄を設けておき、
正規のレーザプリンタのトナー定着温度を第１の温度と第２の温度の間の中間温度に設定し、帳票シートに正規のレーザプリンタで情報を印字した時に真偽判別欄の隠蔽部が変色して第１の標章部が現れるようにして、第１の標章部と第２の標章部が両方現れていれば本物と判別し、隠蔽部と第２の標章部が両方変色しているか、あるいは両方変色していなければ偽物と判別する
ことを特徴とする帳票の真偽判別方法。
【請求項１０】
帳票シートに設けた真偽判別欄を用いて帳票の真偽を判別する真偽判別方法であって、
帳票シートの上に耐熱性インキで印刷した警告部と、帳票シートの上に耐熱性インキで印刷した標章部と、警告部の上にレーザプリンタのトナー定着温度より低い第１の温度で変色する不可逆性のサーモクロミックインキで印刷された第１の隠蔽部と、標章部の上に第１の温度より低い第２の温度で変色する不可逆性のサーモクロミックインキで印刷された第２の隠蔽部とからなる真偽判別欄を設けておき、
正規のレーザプリンタのトナー定着温度を第１の温度と第２の温度の間の中間温度に設定し、帳票シートに正規のレーザプリンタで情報を印字した時に真偽判別欄の第２の隠蔽部が変色して標章部が現れるようにして、標章部が現れていれば本物と判別し、第１の隠蔽部と第２の隠蔽部が両方変色して警告部が現れているか、あるいは両方変色していなければ偽物と判別する
ことを特徴とする帳票の真偽判別方法。
【発明の詳細な説明】
【技術分野】
【０００１】
本発明は、証明書や金券として好適な帳票に関し、特に偽造防止加工を施した帳票とその真偽を判別する方法に関する。
【背景技術】
【０００２】
従来、例えば身分証明書や会員証等の証明書、あるいは入場券や商品券等の金券に関する偽造防止策が数多く存在しており、その一例として下記の特許文献１に開示された偽造防止帳票が挙げられる。
【０００３】
特許文献１の偽造防止帳票は、帳票シートの上に透かし印刷用インキで印刷した偽造防止画像と、この偽造防止画像の部分にサーモクロミックインキで印刷した隠蔽印刷層とを備えたものである。そして、隠蔽印刷層の部分を指で触るとサーモクロミックインキが温められて透明に変色し、その下に隠れていた偽造防止画像が現れて本物であると判別することができる。また、この帳票をコピー機で複写して複製しても、指で触った時に隠蔽印刷層が変色せず偽造防止画像が現れないので、偽物であると判別することができる。
【０００４】
このように、上記のような従来の偽造防止帳票では、特殊インキで印刷を施しているため、本物の帳票を真似てコピー機で複製したものに対しては有効である。ところが、帳票に情報を印字する前の原本そのものが盗まれた場合、その原本を使用してあたかも本物の製品のように情報が印字されてしまうと、それらは本物と偽物の区別が付かないという問題があった。
【０００５】
【特許文献１】特許第３９６３２４０号公報
【発明の開示】
【発明が解決しようとする課題】
【０００６】
本発明は以上のような問題を解決するためになされたものであり、その目的とするところは、原本そのものが盗まれた場合に本物を容易に複製できないようにするとともに、情報を印字した後の帳票が本物であるか偽物であるかの区別を確実に行うことができる偽造防止帳票とその真偽判別方法を提供することにある。
【課題を解決するための手段】
【０００７】
上記の目的を達成するために、請求項１に記載した発明は、帳票シートに真偽判別欄が設けられた偽造防止帳票であって、この真偽判別欄は、帳票シートの上に耐熱性インキで印刷された標章部と、標章部の上にレーザプリンタのトナー定着温度より高い温度で変色する不可逆性のサーモクロミックインキで印刷された隠蔽部とから構成されていることを特徴とする。この帳票においては、例えばレーザプリンタのトナー定着温度が１２０℃であれば、隠蔽部はトナー定着温度より高い１３０℃で変色するサーモクロミックインキで印刷すればよい。
【０００８】
また、この帳票の真偽判別方法は、請求項６に記載した通り、帳票シートに設けた真偽判別欄を用いて帳票の真偽を判別する真偽判別方法であって、帳票シートの上に耐熱性インキで印刷した標章部と、標章部の上にレーザプリンタのトナー定着温度より高い温度で変色する不可逆性のサーモクロミックインキで印刷した隠蔽部とからなる真偽判別欄を設けておき、正規のレーザプリンタのトナー定着温度をサーモクロミックインキの変色温度より高い温度に設定し、帳票シートに正規のレーザプリンタで情報を印字した時に真偽判別欄の隠蔽部が変色して標章部が現れるようにして、標章部が現れていれば本物と判別し、標章部が現れていなければ偽物と判別することを特徴とする。
【０００９】
ここで、サーモクロミックインキとは、所定温度で変色する感温変色物質を配合したインキで「示温インキ」ともいい、その変色原理としては熱分解（例：金属塩）、結晶転移（例：金属錯塩）、分子配向性の変化（例：結晶）、異分子間の電子授受（例：ラクトン型等の染料とフェノール化合物との電子授受）等が挙げられる。サーモクロミックインキの種類には、温度が元に戻れば復色する可逆性のインキと、温度が元に戻っても復色しない不可逆性のインキとがあるが、本発明では後者の不可逆性のインキを使用する。また、サーモクロミックインキが「変色」するという概念には少なくとも次のものを含む。
Ａ．常温で発色し、所定温度でその色が別の色に変化するもの
Ｂ．常温で無色透明であり、所定温度で発色するもの
Ｃ．常温で発色し、所定温度でその色が無色透明に変化（消色）するもの
【００１０】
また、標章部とは、識別機能を有する模様、絵柄、文字等のデザイン化されたものを意味し、以下に例示するものを含む。
Ａ．都道府県、市町村、会社、その他の団体等を表わす紋章やシンボルマーク
Ｂ．例えば県の花、木、鳥等をデザイン化したもの
Ｃ．上記ＡやＢのような発行元を特定するものに限らず、一般的な文字、記号、図形等をデザイン化した真偽判別用のマーク
【００１１】
上記の構成からなる偽造防止帳票はあくまで一例であり、本発明は以下のような各種の変形例が可能である。例えば、請求項２に記載した発明は、帳票シートに真偽判別欄が設けられた偽造防止帳票であって、この真偽判別欄は、帳票シートの上にレーザプリンタのトナー定着温度より低い第１の温度で変色する不可逆性のサーモクロミックインキで印刷された第１の標章部と、帳票シートの上に第１の温度より低い第２の温度で変色する不可逆性のサーモクロミックインキで印刷された第２の標章部とから構成されていることを特徴とする。この帳票においては、例えばレーザプリンタのトナー定着温度が１２０℃であれば、第１の標章部はトナー定着温度より低い１００℃で変色するサーモクロミックインキで印刷し、第２の標章部はそれより低い８０℃で変色するサーモクロミックインキで印刷すればよい。
【００１２】
また、この帳票の真偽判別方法は、請求項７に記載した通り、帳票シートに設けた真偽判別欄を用いて帳票の真偽を判別する真偽判別方法であって、帳票シートの上にレーザプリンタのトナー定着温度より低い第１の温度で変色する不可逆性のサーモクロミックインキで印刷した第１の標章部と、帳票シートの上に第１の温度より低い第２の温度で変色する不可逆性のサーモクロミックインキで印刷した第２の標章部とからなる真偽判別欄を設けておき、正規のレーザプリンタのトナー定着温度を第１の温度と第２の温度の間の中間温度に設定し、帳票シートに正規のレーザプリンタで情報を印字した時に真偽判別欄の第２の標章部が変色するようにして、第１の標章部が変色せずに残っていれば本物と判別し、第１の標章部と第２の標章部が両方変色せずに残っているか、あるいは両方変色していれば偽物と判別することを特徴とする。
【００１３】
請求項３に記載した発明は、帳票シートに真偽判別欄が設けられた偽造防止帳票であって、この真偽判別欄は、帳票シートの上に耐熱性インキで印刷された警告部と、警告部の上にレーザプリンタのトナー定着温度より低い第１の温度で変色する不可逆性のサーモクロミックインキで印刷された標章部と、標章部の上に第１の温度より低い第２の温度で変色する不可逆性のサーモクロミックインキで印刷された隠蔽部とから構成されていることを特徴とする。この帳票においては、例えばレーザプリンタのトナー定着温度が１２０℃であれば、標章部はトナー定着温度より低い１００℃で変色するサーモクロミックインキで印刷し、隠蔽部はそれより低い８０℃で変色するサーモクロミックインキで印刷すればよい。
【００１４】
また、この帳票の真偽判別方法は、請求項８に記載した通り、帳票シートに設けた真偽判別欄を用いて帳票の真偽を判別する真偽判別方法であって、帳票シートの上に耐熱性インキで印刷した警告部と、警告部の上にレーザプリンタのトナー定着温度より低い第１の温度で変色する不可逆性のサーモクロミックインキで印刷した標章部と、標章部の上に第１の温度より低い第２の温度で変色する不可逆性のサーモクロミックインキで印刷した隠蔽部とからなる真偽判別欄を設けておき、正規のレーザプリンタのトナー定着温度を第１の温度と第２の温度の間の中間温度に設定し、帳票シートに正規のレーザプリンタで情報を印字した時に真偽判別欄の隠蔽部が変色して標章部が現れるようにして、標章部が現れていれば本物と判別し、隠蔽部と標章部が両方変色して警告部が現れているか、あるいは両方変色せずに隠蔽部が残っていれば偽物と判別する。
【００１５】
請求項４に記載した発明は、帳票シートに真偽判別欄が設けられた偽造防止帳票であって、この真偽判別欄は、帳票シートの上に耐熱性インキで印刷された第１の標章部と、帳票シートの上にレーザプリンタのトナー定着温度より低い第１の温度で変色する不可逆性のサーモクロミックインキで印刷された第２の標章部と、第１の標章部の上に第１の温度より低い第２の温度で変色する不可逆性のサーモクロミックインキで印刷された隠蔽部とから構成されていることを特徴とする。この帳票においては、例えばレーザプリンタのトナー定着温度が１２０℃であれば、第２の標章部はトナー定着温度より低い１００℃で変色するサーモクロミックインキで印刷し、隠蔽部はそれより低い８０℃で変色するサーモクロミックインキで印刷すればよい。
【００１６】
また、この帳票の真偽判別方法は、請求項９に記載した通り、帳票シートに設けた真偽判別欄を用いて帳票の真偽を判別する真偽判別方法であって、帳票シートの上に耐熱性インキで印刷した第１の標章部と、帳票シートの上にレーザプリンタのトナー定着温度より低い第１の温度で変色する不可逆性のサーモクロミックインキで印刷した第２の標章部と、第１の標章部の上に第１の温度より低い第２の温度で変色する不可逆性のサーモクロミックインキで印刷した隠蔽部とからなる真偽判別欄を設けておき、正規のレーザプリンタのトナー定着温度を第１の温度と第２の温度の間の中間温度に設定し、帳票シートに正規のレーザプリンタで情報を印字した時に真偽判別欄の隠蔽部が変色して第１の標章部が現れるようにして、第１の標章部と第２の標章部が両方現れていれば本物と判別し、隠蔽部と第２の標章部が両方変色しているか、あるいは両方変色していなければ偽物と判別することを特徴とする。
【００１７】
請求項５に記載した発明は、帳票シートに真偽判別欄が設けられた偽造防止帳票であって、この真偽判別欄は、帳票シートの上に耐熱性インキで印刷された警告部と、帳票シートの上に耐熱性インキで印刷された標章部と、警告部の上にレーザプリンタのトナー定着温度より低い第１の温度で変色する不可逆性のサーモクロミックインキで印刷された第１の隠蔽部と、標章部の上に第１の温度より低い第２の温度で変色する不可逆性のサーモクロミックインキで印刷された第２の隠蔽部とから構成されていることを特徴とする。この帳票においては、例えばレーザプリンタのトナー定着温度が１２０℃であれば、第１の隠蔽部はトナー定着温度より低い１００℃で変色するサーモクロミックインキで印刷し、第２の隠蔽部はそれより低い８０℃で変色するサーモクロミックインキで印刷すればよい。
【００１８】
また、この帳票の真偽判別方法は、請求項１０に記載した通り、帳票シートに設けた真偽判別欄を用いて帳票の真偽を判別する真偽判別方法であって、帳票シートの上に耐熱性インキで印刷した警告部と、帳票シートの上に耐熱性インキで印刷した標章部と、警告部の上にレーザプリンタのトナー定着温度より低い第１の温度で変色する不可逆性のサーモクロミックインキで印刷された第１の隠蔽部と、標章部の上に第１の温度より低い第２の温度で変色する不可逆性のサーモクロミックインキで印刷された第２の隠蔽部とからなる真偽判別欄を設けておき、正規のレーザプリンタのトナー定着温度を第１の温度と第２の温度の間の中間温度に設定し、帳票シートに正規のレーザプリンタで情報を印字した時に真偽判別欄の第２の隠蔽部が変色して標章部が現れるようにして、標章部が現れていれば本物と判別し、第１の隠蔽部と第２の隠蔽部が両方変色して警告部が現れているか、あるいは両方変色していなければ偽物と判別することを特徴とする。
【発明の効果】
【００１９】
上記の構成から明らかなように、本発明によれば、偽造防止帳票の原本に正規のレーザプリンタを使用して通常の印字作業を行うだけで、本物と偽物とでは製品の見た目が異なって現れるので、特別な操作をしなくても真偽判別を確実に行うことができるという効果がある。また、使用する正規のレーザプリンタのトナー定着温度が限定されているので、偽造防止帳票の原本が盗まれても本物の製品であるか偽造した偽物の製品であるかの区別が可能になるという効果がある。
【発明を実施するための最良の形態】
【００２０】
以下、本発明の詳細について、実施例を挙げて説明する。
【実施例１】
【００２１】
図１は、実施例１の偽造防止帳票とその真偽判別方法を示す説明図である。本実施例の偽造防止帳票１０は、地方公共団体が認証して発行する本人確認用の身分証明書に適用したものであり、用紙で構成された帳票シート１１の表面にあらかじめ「身分証明書」なる表題や、氏名、本籍、住所等の項目欄が印刷インキで印刷され、その同じ面に偽造防止加工が施されている。この偽造防止加工は、帳票シート１１の印字面に身分証明書の偽造を判別するための真偽判別欄１２を設けるというものであり、本実施例の真偽判別欄１２は標章部１３と隠蔽部１４を備えて構成されている。
【００２２】
標章部１３は、図１（Ａ）に示すように、帳票シート１１の表面に発行元を証明するシンボルマークを耐熱性の印刷インキで印刷したものである。標章部１３の形状は識別機能を有する模様、絵柄、文字等がデザイン化されたもの、特に発行元を特定できるものが望ましいが、真偽判別用のマークとして使用することができれば特に限定されない。なお、このインキとしては例えば「ＵＶ  ＲＮＣ  シリーズ」（株式会社Ｔ＆Ｋ  ＴＯＫＡ製、商品名）を使用することができる。
【００２３】
隠蔽部１４は、図１（Ｂ）に示すように、標章部１３をすべて覆い隠すようにサーモクロミックインキで円形マークを印刷したものである。隠蔽部１４を構成するサーモクロミックインキは、一定の温度で変色する感温変色物質を配合したインキであり、本実施例では常温で発色し、かつ一般的なレーザプリンタのトナー定着温度（約１２０℃）より高い温度、例えば約１３０℃で消色する不可逆性のインキが使用されている。この不可逆性のサーモクロミックインキは、消色温度以上の熱を加えて消色させた後は元の温度に戻しても復色しないようになっている。なお、このインキとしては、熱溶融により不可逆的に透明変色する感温インキ（例えば特開２００５−２９１８２５号公報を参照）を使用することができる。
【００２４】
本実施例の偽造防止帳票１０を使用して身分証明書を発行する場合には、発行元に設置されるプリンタについて、特定温度域でトナー定着するレーザプリンタを使用する。本実施例では、正規のレーザプリンタのトナー定着温度をサーモクロミックインキの消色温度より高い温度、例えば約１４０℃に設定する。そして、図１（Ｃ）に示すように、身分証明書の原本に正規のレーザプリンタで氏名、本籍、住所、生年月日等の個人情報１５を印字すると、トナー定着時の熱が帳票シート１１に加わり、隠蔽部１４を構成するサーモクロミックインキがその熱に反応して消色する。一度消色したサーモクロミックインキは常温に戻っても復色せず、消色状態が維持される。従って、正規のレーザプリンタで印字した身分証明書を見ると、真偽判別欄１２に印刷された隠蔽部１４が消えて無くなり、その下に隠れていた標章部１３のシンボルマークが浮き出るように現れる。また、標章部１３は耐熱性インキであるのでトナー定着時の熱で消えることはない。
【００２５】
これに対して、身分証明書の原本を盗んで偽造しようとしても、本物の身分証明書と完全に同一のものを複製することはできない。すなわち、図１（Ｄ）に示すように、市販のレーザプリンタで身分証明書の原本に氏名等の個人情報１６を印字すると、一般にレーザプリンタのトナー定着温度はサーモクロミックインキの消色温度より低いため、サーモクロミックインキが反応せず変色しない。従って、通常のレーザプリンタで印字した身分証明書を見ると、真偽判別欄１２に印刷された隠蔽部１４が消えずに残るので、その下に隠れている標章部１３を見ることは不可能である。
【００２６】
このように、発行された身分証明書の真偽判別欄１２を確認し、発行元を証明するシンボルマークを印刷した標章部１３が現れていれば、認証された本物の身分証明書であると判断することができる。これに対して、標章部１３が現れていなければ、正規のレーザプリンタ以外のプリンタで印字したものであるから、偽造された偽物の身分証明書であると判断することができる。
【００２７】
一方、身分証明書の原本を見ただけでは、隠蔽部１４の下に証明用のシンボルマークを印刷した標章部１３が隠れていることを確認することができないので、身分証明書の原本を盗んだ者に対しても所定の偽造防止効果が得られる。また、原本を複製しようとして、隠蔽部１４の円形マークをサーモクロミックインキと同じ色の印刷インキで再現した場合には、印字後もその円形マークが消えずに残るので、一目で偽物と分かり容易に真偽判別を行うことができる。
【実施例２】
【００２８】
図２は、実施例２の偽造防止帳票とその真偽判別方法を示す説明図である。本実施例の偽造防止帳票２０は、実施例１と同様に身分証明書に適用したものであるが、帳票シート２１の印字面に偽造防止加工として設けた真偽判別欄２２の構造が異なっており、この真偽判別欄２２は第１の標章部２３と第２の標章部２４を備えて構成されている。
【００２９】
第１の標章部２３は、図２（Ａ）に示すように、帳票シート２１の表面に発行元を証明する円形マークをサーモクロミックインキで印刷したものである。第１の標章部２３を構成するサーモクロミックインキは、常温で発色し、かつ常温より高く一般的なレーザプリンタのトナー定着温度（約１２０℃）より低い温度（約１００℃、以下本実施例で「第１の温度」という）で消色する不可逆性のインキが使用されている。この不可逆性のサーモクロミックインキは、第１の温度以上の熱を加えて消色させた後は元の温度に戻しても復色しないようになっている。なお、このインキとしては、熱溶融により不可逆的に透明変色する感温インキ（例えば特開２００５−２９１８２５号公報を参照）を使用することができる。
【００３０】
第２の標章部２４は、第１の標章部２３に隣接させた２個の円形マークを第１の標章部２３のサーモクロミックインキと異なる種類のサーモクロミックインキで印刷したものである。第２の標章部２４を構成するサーモクロミックインキは、常温で発色し、かつ第１の温度より低い温度（約８０℃、以下本実施例で「第２の温度」という）で消色する不可逆性のインキが使用されている。この不可逆性のサーモクロミックインキは、第２の温度以上の熱を加えて消色させた後は元の温度に戻しても復色しないようになっている。なお、このインキとしては第１の標章部２３のインキと同じインキを使用することができ、そのインキに含まれる熱溶融性物質を替えることにより消色温度を異なる温度に設定すれば良い。
【００３１】
本実施例の偽造防止帳票２０を使用して身分証明書を発行する場合には、正規のレーザプリンタのトナー定着温度を第１の温度と第２の温度の間の温度（約９０℃、以下本実施例で「中間温度」という）に設定して使用する。そして、図２（Ｂ）に示すように、身分証明書の原本に正規のレーザプリンタで氏名等の個人情報２５を印字すると、トナー定着時の熱が帳票シート２１に加わり、中間温度より低い第２の温度で消色する第２の標章部２４のサーモクロミックインキがその熱に反応して消色する。一度消色したサーモクロミックインキは常温に戻っても復色しない。ところが、第１の標章部２３を構成するサーモクロミックインキの消色温度は正規のレーザプリンタのトナー定着温度より高いので、サーモクロミックインキは反応せず消色しない。従って、正規のレーザプリンタで印字した身分証明書を見ると、真偽判別欄２２に印刷された第２の標章部２４が消えて無くなり、第１の標章部２３の円形マークのみが残る。
【００３２】
これに対して、図２（Ｃ）に示すように、市販のインクジェットプリンタで身分証明書の原本に氏名等の個人情報２６を印字すると、一般にインクジェットプリンタはトナー定着時に熱が加わらないため、第１の標章部２３のサーモクロミックインキと第２の標章部２４のサーモクロミックインキはどちらも反応せず変色しない。従って、通常のインクジェットプリンタで印字した身分証明書を見ると、真偽判別欄２２に印刷された第１の標章部２３と第２の標章部２４が両方とも消えず、３個の円形マークが残った状態になる。
【００３３】
また、図２（Ｄ）に示すように、市販のレーザプリンタで身分証明書の原本に氏名等の個人情報２７を印字した場合、一般にレーザプリンタのトナー定着温度は第１の温度と第２の温度より高いため、第１標章部２３のサーモクロミックインキと第２の標章部２４のサーモクロミックインキはどちらも反応して消色する。一度消色したサーモクロミックインキは常温に戻っても復色せず、消色状態が維持される。従って、通常のレーザプリンタで印字した身分証明書では、真偽判別欄２２に印刷された第１の標章部２３と第２の標章部２４が両方とも消えて無くなり、３個の円形マークがすべて見えなくなってしまう。
【００３４】
このように、発行された身分証明書の真偽判別欄２２を確認し、発行元を証明する円形マークを印刷した第１の標章部２３のみが残っていれば、認証された本物の身分証明書であると判断することができる。これに対して、第１の標章部２３と第２の標章部２４が両方残っているか、あるいは両方消えていれば、正規のレーザプリンタ以外のインクジェットプリンタやレーザプリンタで印字したものであるから、偽造された偽物の身分証明書であると判断することができる。
【００３５】
一方、身分証明書の原本を見ただけでは、第１の標章部２３と第２の標章部２４が異なる種類のサーモクロミックインキで印刷されていることを確認することができないので、身分証明書の原本を盗んだ者に対しても所定の偽造防止効果が得られる。また、原本を複製しようとして、第１の標章部２３と第２の標章部２４の円形マークをサーモクロミックインキと同じ色の印刷インキで再現した場合には、印字後もその円形マークが消えずに残るので、一目で偽物と分かり容易に真偽判別を行うことができる。なお、第２の標章部２３と第２の標章部２４のサーモクロミックインキの色は異なる色であってもよいが、２種類のインキを使用していることを悟られないようにする観点からいえば同じ色であるのが望ましい。
【実施例３】
【００３６】
図３は、実施例３の偽造防止帳票とその真偽判別方法を示す説明図である。本実施例の偽造防止帳票３０は、実施例１と同様に身分証明書に適用したものであるが、帳票シート３１の印字面に偽造防止加工として設けた真偽判別欄３２の構造が異なっており、この真偽判別欄３２は警告部３３と標章部３４と隠蔽部３５を備えて構成されている。
【００３７】
警告部３３は、図３（Ａ）に示すように、帳票シート３１の表面に偽物であることを警告する表示であり、本実施例では「偽造」なる文字が耐熱性の印刷インキで印刷されている。警告部３３の表示は「偽造」の文字に限らず、例えば「複製」や「使用不可」といった文字あるいは文字以外の図形や絵柄であってもよい。なお、このインキとしては例えば「ＵＶ  ＲＮＣ  シリーズ」（株式会社Ｔ＆Ｋ  ＴＯＫＡ製、商品名）を使用することができる。
【００３８】
標章部３４は、図３（Ｂ）に示すように、警告部３３の文字をすべて覆い隠すようにサーモクロミックインキで発行元を証明する楕円形マークを印刷したものである。標章部３４を構成するサーモクロミックインキは、常温で発色し、かつ常温より高く一般的なレーザプリンタのトナー定着温度（約１２０℃）より低い温度（約１００℃、以下本実施例で「第１の温度」という）で消色する不可逆性のインキが使用されている。この不可逆性のサーモクロミックインキは、第１の温度以上の熱を加えて消色させた後は元の温度に戻しても復色しないようになっている。なお、このインキとしては、熱溶融により不可逆的に透明変色する感温インキ（例えば特開２００５−２９１８２５号公報を参照）を使用することができる。
【００３９】
隠蔽部３５は、図３（Ｃ）に示すように、更に標章部３４をすべて覆い隠すように標章部３４のサーモクロミックインキと異なる種類のサーモクロミックインキで円形マークを印刷したものである。隠蔽部３５を構成するサーモクロミックインキは、常温で発色し、かつ第１の温度より低い温度（約８０℃、以下本実施例で「第２の温度」という）で消色する不可逆性のインキが使用されている。この不可逆性のサーモクロミックインキは、第２の温度以上の熱を加えて消色させた後は元の温度に戻しても復色しないようになっている。なお、このインキとしては標章部３４のインキと同じインキを使用することができ、そのインキに含まれる熱溶融性物質を替えることにより消色温度を異なる温度に設定すれば良い。
【００４０】
本実施例の偽造防止帳票３０を使用して身分証明書を発行する場合には、正規のレーザプリンタのトナー定着温度を第１の温度と第２の温度の間の温度（約９０℃、以下本実施例で「中間温度」という）に設定して使用する。そして、図３（Ｄ）に示すように、身分証明書の原本に正規のレーザプリンタで氏名等の個人情報３６を印字すると、トナー定着時の熱が帳票シート３１に加わり、中間温度より低い第２の温度で消色する隠蔽部３５のサーモクロミックインキがその熱に反応して消色する。一度消色したサーモクロミックインキは常温に戻っても復色せず、消色状態が維持される。ところが、標章部３４を構成するサーモクロミックインキの消色温度は正規のレーザプリンタのトナー定着温度より高いので、サーモクロミックインキは反応せず消色しない。従って、正規のレーザプリンタで印字した身分証明書を見ると、真偽判別欄３２に印刷された隠蔽部３５が消えて無くなり、その下に隠れていた標章部３４の楕円形マークが浮き出るように現れる。
【００４１】
これに対して、図３（Ｅ）に示すように、市販のレーザプリンタで身分証明書の原本に氏名等の個人情報３７を印字すると、一般にレーザプリンタのトナー定着温度は第１の温度と第２の温度より高いため、標章部３４のサーモクロミックインキと隠蔽部３５のサーモクロミックインキはどちらも反応して消色する。一度消色したサーモクロミックインキは常温に戻っても復色せず、消色状態が維持される。従って、通常のレーザプリンタで印字した身分証明書を見ると、真偽判別欄３２に印刷された標章部３４と隠蔽部３５が両方とも消えて無くなり、その下に隠れていた「偽造」の文字からなる警告部３３が浮き出るように現れる。また、警告部３３は耐熱性インキであるのでトナー定着時の熱で消えることはない。なお、図示しないが、インクジェットプリンタで印字した場合には、トナー定着時に熱が加わらないため、標章部３４のサーモクロミックインキと隠蔽部３５のサーモクロミックインキはどちらも変色せずに隠蔽部３５が残る。
【００４２】
このように、発行された身分証明書の真偽判別欄３２を確認し、発行元を証明する楕円形マークを印刷した標章部３４が現れていれば、認証された本物の身分証明書であると判断することができる。これに対して、標章部３４の替わりに「偽造」の文字からなる警告部３３が現れているか、あるいは隠蔽部３５が残っていれば、正規のレーザプリンタ以外のプリンタで印字したものであるから、偽造された偽物の身分証明書であると判断することができる。また、通常のレーザプリンタの場合、偽物の身分証明書には警告部３３の「偽造」の文字が表示されるので、偽物であることの判断を簡単に行える。
【００４３】
一方、身分証明書の原本を見ただけでは、隠蔽部３５の下に証明用の楕円形マークを印刷した標章部３４が隠れていることを確認することができないので、身分証明書の原本を盗んだ者に対しても所定の偽造防止効果が得られる。また、原本を複製しようとして、隠蔽部３５の円形マークをサーモクロミックインキと同じ色の印刷インキで再現した場合には、印字後もその円形マークが消えずに残るので、一目で偽物と分かり容易に真偽判別を行うことができる。
【実施例４】
【００４４】
図４は、実施例４の偽造防止帳票とその真偽判別方法を示す説明図である。本実施例の偽造防止帳票４０は、実施例１と同様に身分証明書に適用したものであるが、帳票シート４１の印字面に偽造防止加工として設けた真偽判別欄４２の構造が異なっており、この真偽判別欄４２は第１の標章部４３と第２の標章部４４と隠蔽部４５を備えて構成されている。
【００４５】
第１の標章部４３は、図４（Ａ）に示すように、帳票シート４１の表面に発行元を証明するシンボルマークの一部を耐熱性の印刷インキで印刷したものである。第１の標章部４３は第２の標章部４４と一体となって一つの正式なシンボルマークを表示する。なお、このインキとしては例えば「ＵＶ  ＲＮＣ  シリーズ」（株式会社Ｔ＆Ｋ  ＴＯＫＡ製、商品名）を使用することができる。
【００４６】
第２の標章部４４は、図４（Ｂ）に示すように、第１の標章部４３と重ならないように円形マークをサーモクロミックインキで印刷したものである。第２の標章部４４を構成するサーモクロミックインキは、常温で発色し、かつ常温より高く一般的なレーザプリンタのトナー定着温度（約１２０℃）より低い温度（約１００℃、以下本実施例で「第１の温度」という）で消色する不可逆性のインキが使用されている。この不可逆性のサーモクロミックインキは、第１の温度以上の熱を加えて消色させた後は元の温度に戻しても復色しないようになっている。なお、このインキとしては、熱溶融により不可逆的に透明変色する感温インキ（例えば特開２００５−２９１８２５号公報を参照）を使用することができる。
【００４７】
隠蔽部４５は、第１の標章部４３の部分のみを覆い隠すように第２の標章部４４のサーモクロミックインキと異なる種類のサーモクロミックインキで円形マークを印刷したものである。隠蔽部４５を構成するサーモクロミックインキは、常温で発色し、かつ常温より高く第１の温度より低い温度（約８０℃、以下本実施例で「第２の温度」という）で消色する不可逆性のインキが使用されている。この不可逆性のサーモクロミックインキは、第２の温度以上の熱を加えて消色させた後は元の温度に戻しても復色しないようになっている。なお、隠蔽部４５は、第２の標章部４４と一体となって正式なシンボルマークとは別のシンボルマークに見せ掛けるような形状であるのが望ましい。なお、このインキとしては第２の標章部４４のインキと同じインキを使用することができ、そのインキに含まれる熱溶融性物質を替えることにより消色温度を異なる温度に設定すれば良い。
【００４８】
本実施例の偽造防止帳票３０を使用して身分証明書を発行する場合には、正規のレーザプリンタのトナー定着温度を第１の温度と第２の温度の間の温度（約９０℃、以下本実施例で「中間温度」という）に設定して使用する。そして、図４（Ｃ）に示すように、身分証明書の原本に正規のレーザプリンタで氏名等の個人情報４６を印字すると、トナー定着時の熱が帳票シート４１に加わり、中間温度より低い第２の温度で消色する隠蔽部４５のサーモクロミックインキがその熱に反応して消色する。一度消色したサーモクロミックインキは常温に戻っても復色せず、消色状態が維持される。ところが、第２の標章部４４を構成するサーモクロミックインキの消色温度は正規のレーザプリンタのトナー定着温度より高いので、サーモクロミックインキは反応せず消色しない。従って、正規のレーザプリンタで印字した身分証明書を見ると、真偽判別欄４２に印刷された隠蔽部４５だけが消えて無くなり、その下に隠れていた第１の標章部４３が浮き出るように現れて、第１の標章部４３と第２の標章部４４とが一体となって正式なシンボルマークを表示する。また、第１の標章部４３は耐熱性インキであるのでトナー定着時の熱で消えることはない。
【００４９】
これに対して、図４（Ｄ）に示すように、市販のレーザプリンタで身分証明書の原本に氏名等の個人情報４７を印字すると、一般にレーザプリンタのトナー定着温度は第１の温度と第２の温度より高いため、第２の標章部４４のサーモクロミックインキと隠蔽部４５のサーモクロミックインキはどちらも反応して消色する。一度消色したサーモクロミックインキは常温に戻っても復色せず、消色状態が維持される。従って、通常のレーザプリンタで印字した身分証明書を見ると、真偽判別欄４２に印刷された第２の標章部４４と隠蔽部４５が両方とも消えて無くなり、その下に隠れていた第１の標章部４３が浮き出るように現れる。第１の標章部４３は耐熱性インキであるのでトナー定着時の熱で消えることはない。なお、図示しないが、インクジェットプリンタで印字した場合には、トナー定着時に熱が加わらないため、第２の標章部４４のサーモクロミックインキと隠蔽部４５のサーモクロミックインキはどちらも変色せずに３個の円形マークが残る。
【００５０】
このように、発行された身分証明書の真偽判別欄４２を確認し、発行元を証明する正式なシンボルマークを印刷した第１の標章部４３と第２の標章部４４が現れていれば、認証された本物の身分証明書であると判断することができる。これに対して、第２の標章部４４と隠蔽部４５が両方消えて第１の標章部４３しか残っていないか、あるいは第２の標章部４４と隠蔽部４５が両方残っていれば、正規のレーザプリンタ以外のプリンタで印字したものであるから、偽造された偽物の身分証明書であると判断することができる。第１の標章部４３だけであると正式なシンボルマークが不完全な形で表示されるので、偽物であることの判断を簡単に行える。
【００５１】
一方、身分証明書の原本を見ただけでは、真偽判別欄４２が正式なシンボルマークのように見せ掛けられているので、身分証明書の原本を盗んだ者に対して偽造防止加工が施されていることを悟られる可能性が低くなる。また、原本を複製しようとして、第２の標章部４４と隠蔽部４５からなる偽装のシンボルマークをサーモクロミックインキと同じ色の印刷インキで再現した場合には、印字後もその円形マークが消えずに残るので、一目で偽物と分かり容易に真偽判別を行うことができる。
【実施例５】
【００５２】
図５は、実施例５の偽造防止帳票とその真偽判別方法を示す説明図である。本実施例の偽造防止帳票５０は、チケット発券所で入場料の支払いと引き換えに発券される入場券に適用したものであり、用紙で構成された帳票シート５１の表面にあらかじめ「入場券」なる表題や、発券元等の必要情報が印刷インキで印刷され、その同じ面に偽造防止加工が施されている。この偽造防止加工は、帳票シート５１の印字面に入場券の偽造を判別するための真偽判別欄５２を設けるというものであり、本実施例の真偽判別欄５２は警告部５３、標章部５４、第１の隠蔽部５５、及び第２の隠蔽部５６を備えて構成されている。
【００５３】
警告部５３は、図５（Ａ）に示すように、帳票シート５１の右上部に偽物であることを警告する表示であり、本実施例では「偽造」なる文字が耐熱性の印刷インキで印刷されている。警告部５３の表示が「偽造」の文字に限られない点は実施例３と同様である。なお、このインキとしては例えば「ＵＶ  ＲＮＣ  シリーズ」（株式会社Ｔ＆Ｋ  ＴＯＫＡ製、商品名）を使用することができる。
【００５４】
標章部５４は、帳票シート５１の左下部に発券元を証明するキャラクターの絵柄を耐熱性インキで印刷したものである。なお、このインキとしては警告部５３のインキと同じインキを使用することができる。
【００５５】
第１の隠蔽部５５は、図５（Ｂ）に示すように、警告部５３の文字をすべて覆い隠すようにサーモクロミックインキでベタ印刷したものである。第１の隠蔽部５５を構成するサーモクロミックインキは、常温で発色し、かつ常温より高く一般的なレーザプリンタのトナー定着温度（約１２０℃）より低い温度（約１００℃、以下本実施例で「第１の温度」という）で消色する不可逆性のインキが使用されている。この不可逆性のサーモクロミックインキは、第１の温度以上の熱を加えて消色させた後は元の温度に戻しても復色しないようになっている。なお、このインキとしては、熱溶融により不可逆的に透明変色する感温インキ（例えば特開２００５−２９１８２５号公報を参照）を使用することができる。
【００５６】
第２の隠蔽部５６は、標章部５４の絵柄部分のみを覆い隠すように第１の隠蔽部５５のサーモクロミックインキと異なる種類のサーモクロミックインキでベタ印刷したものである。第２の隠蔽部５６を構成するサーモクロミックインキは、常温で発色し、かつ常温より高く第１の温度より低い温度（約８０℃、以下本実施例で「第２の温度」という）で消色する不可逆性のインキが使用されている。この不可逆性のサーモクロミックインキは、第２の温度以上の熱を加えて消色させた後は元の温度に戻しても復色しないようになっている。なお、このインキとしては第１の隠蔽部５５のインキと同じインキを使用することができ、そのインキに含まれる熱溶融性物質を替えることにより消色温度を異なる温度に設定すれば良い。
【００５７】
本実施例の偽造防止帳票５０を使用して入場券を発券する場合には、正規のレーザプリンタのトナー定着温度を第１の温度と第２の温度の間の温度（約９０℃、以下本実施例で「中間温度」という）に設定して使用する。そして、図５（Ｃ）に示すように、入場券の原本に正規のレーザプリンタで有効期限等の重要情報５７を印字すると、トナー定着時の熱が帳票シート５１に加わり、中間温度より低い第２の温度で消色する第２の隠蔽部５６のサーモクロミックインキがその熱に反応して消色する。一度消色したサーモクロミックインキは常温に戻っても復色せず、消色状態が維持される。ところが、第１の隠蔽部５５を構成するサーモクロミックインキの消色温度は正規のレーザプリンタのトナー定着温度より高いので、サーモクロミックインキは反応せず消色しない。従って、正規のレーザプリンタで印字した入場券を見ると、真偽判別欄５２に印刷された第２の隠蔽部５６だけが消えて無くなり、その下に隠れていた標章部５４のキャラクターが浮き出るように現れる。また、標章部５４は耐熱性インキであるのでトナー定着時の熱で消えることはない。
【００５８】
これに対して、図５（Ｄ）に示すように、市販のレーザプリンタで入場券の原本に有効期限等の重要情報５８を印字すると、一般にレーザプリンタのトナー定着温度は第１の温度と第２の温度より高いため、第１の隠蔽部５５のサーモクロミックインキと第２の隠蔽部５６のサーモクロミックインキはどちらも反応して消色する。一度消色したサーモクロミックインキは常温に戻っても復色せず、消色状態が維持される。従って、通常のレーザプリンタで印字した入場券を見ると、真偽判別欄５２に印刷された第１の隠蔽部５５と第２の隠蔽部５６が両方とも消えて無くなり、第１の隠蔽部５５の下に隠れていた「偽造」の文字からなる警告部５３が浮き出るように現れる。また、警告部５３は耐熱性インキであるのでトナー定着時の熱で消えることはない。なお、図示しないが、インクジェットプリンタで印字した場合には、トナー定着時に熱が加わらないため、第１の隠蔽部５５のサーモクロミックインキと第２の隠蔽部５６のサーモクロミックインキはどちらも変色せずに残る。
【００５９】
このように、発行された入場券の真偽判別欄５２を確認し、発行元を証明するキャラクターを印刷した標章部５４が現れていれば、正規に発券された本物の入場券であると判断することができる。これに対して、標章部５４だけでなく「偽造」の文字からなる警告部５３が現れているか、あるいは第１の隠蔽部５５と第２の隠蔽部５６が両方残っていれば、正規のレーザプリンタ以外のプリンタで印字したものであるから、偽造された偽物の入場券であると判断することができる。また、通常のレーザプリンタの場合、偽物の入場券には警告部５３の「偽造」の文字が表示されるので、偽物であることの判断を簡単に行える。
【００６０】
一方、入場券の原本を見ただけでは、第１の隠蔽部５５の下に証明用のキャラクターの絵柄を印刷した標章部５４が隠れていることや、第２の隠蔽部５６の下に警告文字を印刷した警告部５３が隠れていることを確認することができないので、入場券の原本を盗んだ者に対しても所定の偽造防止効果が得られる。また、原本を複製しようとして、第１の隠蔽部５５と第２の隠蔽部５６をサーモクロミックインキと同じ色の印刷インキで再現した場合には、印字後もその隠蔽部が消えずに残るので、一目で偽物と分かり容易に真偽判別を行うことができる。
【００６１】
以上詳細に説明したように、本発明の偽造防止帳票によれば、原本に正規のレーザプリンタを使用して通常の印字作業を行うだけで、本物と偽物とでは製品の見た目が異なって現れるので、特別な操作をしなくても真偽判別を行うことができる。また、使用する正規のレーザプリンタのトナー定着温度が限定されているので、偽造防止帳票の原本が盗まれても本物の製品であるか偽造した偽物の製品であるかの区別が可能になる。
【００６２】
上述した実施例では、常温で発色し、所定温度でその色が無色透明に変化（消色）するサーモクロミックインキを使用したが、完全に消色しなくても常温で発色した色が別の色（例えば無色透明に近い色）に変化することによってサーモクロミックインキの下層の標章部や警告部が見えるようになっていれば同様の効果がある。また、この他にも常温で無色透明であり、所定温度で発色するサーモクロミックインキとして、マイクロカプセル式の不可逆性の感温インキ（例えば特開２００２−２９４１２３号公報を参照）を使用しても良い。なお、上述した実施例では本発明の偽造防止帳票を身分証明書や入場券に適用した例について説明したが、本発明はその他の帳票として、例えば会員証、金券、商品券、有価証券等のように盗難や偽造の対象となり易い帳票全般にも同様に適用することができる。
【図面の簡単な説明】
【００６３】
【図１】実施例１の偽造防止帳票とその真偽判別方法を示す説明図。
【図２】実施例２の偽造防止帳票とその真偽判別方法を示す説明図。
【図３】実施例３の偽造防止帳票とその真偽判別方法を示す説明図。
【図４】実施例４の偽造防止帳票とその真偽判別方法を示す説明図。
【図５】実施例５の偽造防止帳票とその真偽判別方法を示す説明図。
【符号の説明】
【００６４】
１０  偽造防止帳票
１１  帳票シート
１２  真偽判別欄
１３  標章部
１４  隠蔽部
２０  偽造防止帳票
２１  帳票シート
２２  真偽判別欄
２３  第１の標章部
２４  第２の標章部
３０  偽造防止帳票
３１  帳票シート
３２  真偽判別欄
３３  警告部
３４  標章部
３５  隠蔽部
４０  偽造防止帳票
４１  帳票シート
４２  真偽判別欄
４３  第１の標章部
４４  第２の標章部
４５  隠蔽部
５０  偽造防止帳票
５１  帳票シート
５２  真偽判別欄
５３  警告部
５４  標章部
５５  第１の隠蔽部
５６  第２の隠蔽部
【図１】
2009220404.tif 000003
【図２】
2009220404.tif 000004
【図３】
2009220404.tif 000005
【図４】
2009220404.tif 000006
【図５】
2009220404.tif 000007